【誤訳訂正書】
【提出日】平成28年2月19日(2016.2.19)
【誤訳訂正１】
【訂正対象書類名】特許請求の範囲
【訂正対象項目名】全文
【訂正方法】変更
【訂正の内容】
【特許請求の範囲】
【請求項１】
エンコーダにより実行されて、参照ピクチャを使用して複数のピクチャの映像ストリーム中の現在ピクチャの表現を符号化する方法であって、
前記現在ピクチャに対するバッファ記述（２１０）中の参照ピクチャに関連付けられている１−ビットフラグ（２２０）を符号化すること（２０２）を含み、
前記１−ビットフラグ（２２０）は、前記１−ビットフラグ（２２０）に関連付けられている前記参照ピクチャが、デコーダに記憶された参照ピクチャのリスト（２３０）に含まれるべきか否かを前記デコーダに明示的に指示するためにセットされ（２００）、
前記参照ピクチャのリスト（２３０）は、前記デコーダが現在ピクチャを復号化するときにどの参照ピクチャを参照のために使用することができるのかを示す、方法。
【請求項２】
各ピクチャがレイヤ識別情報によって識別されたレイヤに属し、前記方法は、
前記参照ピクチャの前記レイヤ識別情報が前記現在ピクチャの前記レイヤ識別情報より上位であるか否かを判定すること（２００）と、
前記参照ピクチャの前記レイヤ識別情報が前記現在ピクチャの前記レイヤ識別情報より上位である場合に、前記参照ピクチャが前記参照ピクチャのリストに含まれるべきでないことを明示的に指示するように前記１−ビットフラグをセットすること（２０１ａ）と
をさらに含む、請求項１に記載の方法。
【請求項３】
少なくとも前記参照ピクチャの前記レイヤ識別情報が前記現在ピクチャと同じまたは下位である場合に、前記参照ピクチャが前記参照ピクチャリストに含まれるべきであることを明示的に指示するように前記１−ビットフラグをセットすること（２０１ｂ）をさらに含む、請求項２に記載の方法。
【請求項４】
１つの参照ピクチャが前記参照ピクチャリストに含まれるべきことを明示的に指示するために前記１−ビットフラグを「１」にセットすること（２０１ｂ）と、
１つの参照ピクチャが前記参照ピクチャリストに含まれるべきでないことを明示的に指示するために前記１−ビットフラグを「０」にセットすること（２０１ａ）とをさらに含む、請求項１から３のいずれか一項に記載の方法。
【請求項５】
前記参照ピクチャの前記レイヤ識別情報が前記現在ピクチャと同じまたは下位であり、かつ、別の条件が満たされる場合に、前記参照ピクチャが前記参照ピクチャリストに含まれるべきであることを明示的に指示するように前記１−ビットフラグをセットすること（２０１ｃ）をさらに含む、請求項２に記載の方法。
【請求項６】
前記１−ビットフラグは、スライスヘッダに符号化される、請求項１から５のいずれか一項に記載の方法。
【請求項７】
前記１−ビットフラグは、パラメータ・セットに符号化される、請求項１から５のいずれか一項に記載の方法。
【請求項８】
前記レイヤ識別情報は、テンポラルレイヤ識別情報である、請求項１から７のいずれか一項に記載の方法。
【請求項９】
デコーダにより実行されて、参照ピクチャを使用して複数のピクチャの映像ストリーム中の現在ピクチャの表現を復号化する方法であって、
前記現在ピクチャに対するバッファ記述中の参照ピクチャに関連付けられている１−ビットフラグを復号化すること（２０３）であって、前記１−ビットフラグは、前記１−ビットフラグに関連付けられている前記参照ピクチャが、デコーダに記憶された参照ピクチャのリストに含まれるべきか否かを前記デコーダに明示的に指示しており、前記参照ピクチャのリストは、前記デコーダが現在ピクチャを復号化するときにどの参照ピクチャを参照のために使用することができるのかを示すような、１−ビットフラグを復号化すること（２０３）と、
前記参照ピクチャが前記参照ピクチャのリストに含まれるべきであるか否かを判定するために前記１−ビットフラグを使用すること（２０４）とを含む、方法。
【請求項１０】
前記１−ビットフラグの一方の値は、前記参照ピクチャが前記参照ピクチャリストに含まれるべきでないことを明示的に指示する、請求項９に記載の方法。
【請求項１１】
前記１−ビットフラグの他方の値は、１つの参照ピクチャが前記参照ピクチャリストに含まれるべきであることを明示的に指示する、請求項１０に記載の方法。
【請求項１２】
「１」にセットされた前記１−ビットフラグは、１つの参照ピクチャが前記参照ピクチャリストに含まれるべきことを明示的に指示し、
「０」にセットされた前記１−ビットフラグは、１つの参照ピクチャが前記参照ピクチャリストに含まれるべきでないことを明示的に指示する、請求項９から１１のいずれか一項に記載の方法。
【請求項１３】
前記１−ビットフラグは、スライスヘッダに符号化される、請求項９から１２のいずれか一項に記載の方法。
【請求項１４】
前記１−ビットフラグは、パラメータ・セットに符号化される、請求項９から１２のいずれか一項に記載の方法。
【請求項１５】
参照ピクチャを使用して複数のピクチャの映像ストリーム中の現在ピクチャの表現を符号化するエンコーダ（３００）であって、
前記エンコーダは、前記現在ピクチャに対するバッファ記述（２１０）中の参照ピクチャに関連付けられている１−ビットフラグ（２２０）を符号化するように構成され、
前記エンコーダはプロセッサ（３０２）を備えており、前記プロセッサ（３０２）は、前記１−ビットフラグ（２２０）に関連付けられている前記参照ピクチャが、デコーダに記憶された参照ピクチャのリスト（２３０）に含まれるべきか否かを前記デコーダに明示的に指示するために前記１−ビットフラグ（２２０）をセットするように構成されており、前記参照ピクチャのリスト（２３０）は、前記デコーダが現在ピクチャを復号化するときにどの参照ピクチャを参照のために使用することができるのかを示す、エンコーダ（３００）。
【請求項１６】
各ピクチャがレイヤ識別情報によって識別されたレイヤに属し、前記プロセッサ（３０２）は、前記参照ピクチャの前記レイヤ識別情報が前記現在ピクチャの前記レイヤ識別情報より上位であるか否かを判定し（２００）、前記参照ピクチャの前記レイヤ識別情報が前記現在ピクチャの前記レイヤ識別情報より上位である場合に前記参照ピクチャが前記参照ピクチャのリストに含まれるべきでないことを明示的に指示するように前記１−ビットフラグ（２２０）をセットするようにさらに構成されている、請求項１５に記載のエンコーダ（３００）。
【請求項１７】
前記プロセッサ（３０２）は、少なくとも前記参照ピクチャの前記レイヤ識別情報が前記現在ピクチャと同じまたは下位である場合に前記参照ピクチャが前記参照ピクチャリストに含まれるべきであることを明示的に指示するように前記１−ビットフラグ（２２０）をセットするようにさらに構成されている、請求項１６に記載のエンコーダ（３００）。
【請求項１８】
前記プロセッサ（３０２）は、１つの参照ピクチャが前記参照ピクチャリストに含まれるべきことを明示的に指示するために前記１−ビットフラグを「１」にセットし、１つの参照ピクチャが前記参照ピクチャリストに含まれるべきでないことを明示的に指示するために前記１−ビットフラグを「０」にセットするようにさらに構成されている、請求項１５から１７のいずれか一項に記載のエンコーダ（３００）。
【請求項１９】
前記プロセッサ（３０２）は、前記参照ピクチャの前記レイヤ識別情報が前記現在ピクチャと同じまたは下位であり、かつ、別の条件が満たされる場合に、前記参照ピクチャが前記参照ピクチャリストに含まれるべきであることを明示的に指示するように前記１−ビットフラグをセットするようにさらに構成されている、請求項１６に記載のエンコーダ（３００）。
【請求項２０】
前記プロセッサ（３０２）は、スライスヘッダに前記１−ビットフラグを符号化するように構成されている、請求項１５から１９のいずれか一項に記載のエンコーダ（３００）。
【請求項２１】
前記プロセッサ（３０２）は、パラメータ・セットに前記１−ビットフラグを符号化するように構成されている、請求項１５から１９のいずれか一項に記載のエンコーダ（３００）。
【請求項２２】
前記レイヤ識別情報は、テンポラルレイヤ識別情報である、請求項１５から２１のいずれか一項に記載のエンコーダ（３００）。
【請求項２３】
高効率映像符号化ＨＥＶＣエンコーダである、請求項１５から２２のいずれか一項に記載のエンコーダ（３００）。
【請求項２４】
参照ピクチャを使用して複数のピクチャの映像ストリーム中の現在ピクチャの表現を復号化するデコーダ（４００）であって、
前記デコーダ（４００）は、前記現在ピクチャに対するバッファ記述中の参照ピクチャに関連付けられている１−ビットフラグ（２２０）を復号化するように構成され、
前記１−ビットフラグ（２２０）は、前記１−ビットフラグに関連付けられている前記参照ピクチャが、デコーダに記憶された参照ピクチャのリスト（２３０）に含まれるべきか否かを前記デコーダに明示的に指示しており、前記参照ピクチャのリスト（２３０）は、前記デコーダが現在ピクチャを復号化するときにどの参照ピクチャを参照のために使用することができるのかを示しており、
前記デコーダ（４００）は、前記参照ピクチャが前記参照ピクチャのリスト（２３０）に含まれるべきか否かを判定するために前記１−ビットフラグ（２２０）を使用するように構成されているプロセッサ（４０２）を備える、デコーダ（４００）。
【請求項２５】
前記デコーダは、前記１−ビットフラグの一方の値が１つの参照ピクチャは前記参照ピクチャリストに含まれるべきでないことを明示的に指示するものと解釈するように構成されているプロセッサ（４０２）を備える、請求項２４に記載のデコーダ（４００）。
【請求項２６】
前記プロセッサ（４０２）は、前記１−ビットフラグの他方の値が１つの参照ピクチャは前記参照ピクチャリストに含まれるべきであることを明示的に指示するものと解釈するようにさらに構成されている、請求項２５に記載のデコーダ（４００）。
【請求項２７】
前記プロセッサ（４０２）は、「１」にセットされた前記１−ビットフラグが１つの参照ピクチャは前記参照ピクチャリストに含まれるべきであることを明示的に指示し、「０」にセットされた前記１−ビットフラグが１つの参照ピクチャは前記参照ピクチャリストに含まれるべきでないことを明示的に指示するものと解釈するようにさらに構成されている、請求項２４から２６のいずれか一項に記載のデコーダ（４００）。
【請求項２８】
前記プロセッサ（４０２）は、スライスヘッダに前記１−ビットフラグを復号化するように構成されている、請求項２４から２７のいずれか一項に記載のデコーダ（４００）。
【請求項２９】
前記プロセッサ（４０２）は、パラメータ・セットに前記１−ビットフラグを復号化するようにさらに構成されている、請求項２４から２７のいずれか一項に記載のデコーダ（４００）。
【請求項３０】
高効率映像符号化ＨＥＶＣデコーダである、請求項２４から２９のいずれか一項に記載のデコーダ（３００）。
【誤訳訂正２】
【訂正対象書類名】明細書
【訂正対象項目名】０００５
【訂正方法】変更
【訂正の内容】
【０００５】
ＨＥＶＣは、現在ピクチャの復号化のため使用される予め復号化されたピクチャである参照ピクチャを取り扱う仕組みを有している。ＨＥＶＣにおける参照ピクチャは、「参照用」としてマーク付けされることにより参照のため利用可能である復号化ピクチャバッファ（ＤＰＢ）内のピクチャである。参照ピクチャとして使用されるピクチャは、参照ピクチャリストに含まれ、ＨＥＶＣのための参照ピクチャリストは、Ｈ．２６４における参照ピクチャリストに類似する。参照ピクチャリストは、その後、現在ピクチャ内の現在スライスの復号化プロセスで使用される。
【誤訳訂正３】
【訂正対象書類名】明細書
【訂正対象項目名】０００９
【訂正方法】変更
【訂正の内容】
【０００９】
ｔｅｍｐｏｒａｌ＿ｉｄは、参照ピクチャリスト構築プロセスでも使用される。現在フレームのテンポラルレイヤより上位のテンポラルレイヤに属している参照ピクチャは、現在ピクチャの参照ピクチャリストに含まれない。
ＨＥＶＣにおいて提案されるような上位レベルでの復号化プロセスの概略図は、図１に見られる。
【誤訳訂正４】
【訂正対象書類名】明細書
【訂正対象項目名】００１３
【訂正方法】変更
【訂正の内容】
【００１３】
本発明の実施形態によれば、参照ピクチャが参照ピクチャのリストに含まれるべきであるか否かをデコーダに明示的に指示するためにセットされた１−ビットフラグが提供される。
【誤訳訂正５】
【訂正対象書類名】明細書
【訂正対象項目名】００１４
【訂正方法】変更
【訂正の内容】
【００１４】
従って、本発明の実施形態の第１の態様によれば、参照ピクチャを使用して複数のピクチャの映像ストリーム中の現在ピクチャの表現を符号化する方法が提供される。この方法では、現在ピクチャに対するバッファ記述中の参照ピクチャに関連付けられている１−ビットフラグが符号化され、ここで、１−ビットフラグは、参照ピクチャが参照ピクチャのリストに含まれるべきか否かをデコーダに明示的に指示するためにセットされる。参照ピクチャのリストは、現在ピクチャを復号化するときにどのピクチャが参照のため使用することができるかを示している。
【誤訳訂正６】
【訂正対象書類名】明細書
【訂正対象項目名】００１５
【訂正方法】変更
【訂正の内容】
【００１５】
本発明の実施形態の第２の態様によれば、参照ピクチャを使用して複数のピクチャの映像ストリーム中の現在ピクチャの表現を復号化する方法が提供される。この方法では、現在ピクチャに対するバッファ記述中の参照ピクチャに関連付けられている１−ビットフラグが復号化される。１−ビットフラグは、現在ピクチャを復号化するときにどのピクチャが参照のため使用することができるかを指示する参照ピクチャのリストに参照ピクチャが含まれるべきか否かをデコーダに明示的に指示する。
【誤訳訂正７】
【訂正対象書類名】明細書
【訂正対象項目名】００１６
【訂正方法】変更
【訂正の内容】
【００１６】
本発明の実施形態の第３の態様によれば、参照ピクチャを使用して複数のピクチャの映像ストリーム中の現在ピクチャの表現を符号化するエンコーダが提供される。エンコーダは、現在ピクチャに対するバッファ記述中の参照ピクチャに関連付けられている１−ビットフラグを符号化するように構成され、エンコーダは、参照ピクチャが参照ピクチャのリストに含まれるべきか否かをデコーダに明示的に指示するために１−ビットフラグをセットするように構成されているプロセッサを備える。参照ピクチャのリストは、現在ピクチャを復号化するときにどのピクチャが参照のため使用することができるかを指示している。
【誤訳訂正８】
【訂正対象書類名】明細書
【訂正対象項目名】００１７
【訂正方法】変更
【訂正の内容】
【００１７】
本発明の実施形態の第４の態様によれば、参照ピクチャを使用して複数のピクチャの映像ストリーム中の現在ピクチャの表現を復号化するデコーダが提供される。デコーダは、現在ピクチャに対するバッファ記述中の参照ピクチャに関連付けられている１−ビットフラグを復号化するように構成されている。１−ビットフラグは、参照ピクチャが参照ピクチャのリストに含まれるべきか否かをデコーダに明示的に指示し、ここで、参照ピクチャのリストは、現在ピクチャを復号化するときにどのピクチャが参照のため使用することができるかを指示する。さらに、デコーダは、参照ピクチャが参照ピクチャのリストに含まれるべきか否かを判定するために１−ビットフラグを使用するように構成されているプロセッサを備える。
【誤訳訂正９】
【訂正対象書類名】明細書
【訂正対象項目名】００１８
【訂正方法】変更
【訂正の内容】
【００１８】
第５の態様によれば、参照ピクチャを使用して複数のピクチャの映像ストリーム中の現在ピクチャの表現を符号化するエンコーダが提供される。エンコーダは、現在ピクチャに対するバッファ記述中の参照ピクチャに関連付けられている１−ビットフラグを符号化するように構成されている。エンコーダは、フラグがこの参照ピクチャのレイヤ識別情報が現在ピクチャのレイヤ識別情報と同じまたは下位である場合に参照ピクチャは参照ピクチャリストに含まれるべきであることを指示するように、かつ、フラグがこの参照ピクチャのレイヤ識別情報が現在ピクチャのレイヤ識別情報より上位である場合に参照ピクチャは参照ピクチャリストから除外されることを指示するように、各参照ピクチャのレイヤ識別情報と現在ピクチャのレイヤ識別情報との間の比較に従って１−ビットフラグをセットするように構成されているプロセッサを備える。
【誤訳訂正１０】
【訂正対象書類名】明細書
【訂正対象項目名】００１９
【訂正方法】変更
【訂正の内容】
【００１９】
第６の態様によれば、参照ピクチャを使用して複数のピクチャの映像ストリーム中の現在ピクチャの表現を復号化するデコーダが提供される。デコーダは、現在ピクチャに対するバッファ記述中の参照ピクチャに関連付けられている１−ビットフラグを復号化するように構成されている。デコーダは、復号化ピクチャバッファ内の対応する参照ピクチャが欠けているバッファ記述中の各参照ピクチャに対する１−ビットフラグをチェックするように構成されているプロセッサを備え、１−ビットフラグが参照ピクチャは参照ピクチャリストに含まれていることを指示している場合、プロセッサは、ピクチャが意図せずに失われているという結論を出すように構成されている。
【誤訳訂正１１】
【訂正対象書類名】明細書
【訂正対象項目名】００２３
【訂正方法】変更
【訂正の内容】
【００２３】
実施形態は、どちらのピクチャが現在ピクチャを復号化するため使用されるかについて記載する参照ピクチャリスト（参照ピクチャのリストとも呼ばれる）の取り扱いに関係する。実施形態では、エンコーダは、１−ビットフラグ（２つの可能な値を有している）を使用することにより参照ピクチャが参照ピクチャリストに含まれるべきか否かをデコーダに明示的に指示し、ここで、参照ピクチャリストは、現在ピクチャを復号化するときにどのピクチャが参照のため使用することができるかを指示する。
【誤訳訂正１２】
【訂正対象書類名】明細書
【訂正対象項目名】００２４
【訂正方法】変更
【訂正の内容】
【００２４】
その結果、参照ピクチャリストは、現在ピクチャを復号化するときに参照のため使用することができるピクチャのリストであり、参照ピクチャリストは、デコーダで記憶される。ピクチャは、ＰＯＣによって定義される。しかし、リストに含まれたピクチャは、参照のため使用されることを要求されないが、リストに含まれていないピクチャは、現在ピクチャを復号化するときに参照のため使用されることが許可されない。
【誤訳訂正１３】
【訂正対象書類名】明細書
【訂正対象項目名】００２５
【訂正方法】変更
【訂正の内容】
【００２５】
参照ピクチャセット（ＲＰＳ）とも呼ばれるバッファ記述は、ビットストリームでエンコーダからデコーダにシグナル通知され、バッファ記述は、参照ピクチャと各参照ピクチャに対する１−ビットフラグとを備える。１−ビットフラグは、バッファ記述中の参照ピクチャ毎にこれが参照ピクチャリストに含まれるべきか否かを明示的に指示する。
【誤訳訂正１４】
【訂正対象書類名】明細書
【訂正対象項目名】００２６
【訂正方法】変更
【訂正の内容】
【００２６】
第１の態様に係るエンコーダによって実行される方法では、１−ビットフラグがシグナル通知され、ここで、１−ビットフラグは、現在ピクチャに対するバッファ記述中の参照ピクチャに関連付けられている。これは、図２に示され、ここで、参照ピクチャが参照ピクチャのリストに含まれるべきか否かをデコーダに明示的に指示するために１−ビットフラグ２２０がセットされる（２００）。
【誤訳訂正１５】
【訂正対象書類名】明細書
【訂正対象項目名】００２７
【訂正方法】変更
【訂正の内容】
【００２７】
一実施形態によれば、１−ビットフラグは、現在ピクチャのレイヤより上位レイヤからの参照ピクチャがリストに含まれないようにセットされる（２０１ａ）。従って、エンコーダのプロセッサは、参照ピクチャのレイヤ識別情報が現在ピクチャより上位である場合、参照ピクチャが参照ピクチャリストに含まれるべきでないことを明示的に指示するために１−ビットフラグをいつでもセットするように構成されている。本実施形態では、参照ピクチャのレイヤ識別情報が現在ピクチャのレイヤ識別情報より上位であると決定され（２００）、１−ビットフラグは、参照ピクチャのレイヤ識別情報が現在ピクチャのレイヤ識別情報より上位である場合、参照ピクチャが参照ピクチャリストに含まれるべきでないことを明示的に指示するようにセットされる（２０１ａ）。
【誤訳訂正１６】
【訂正対象書類名】明細書
【訂正対象項目名】００２８
【訂正方法】変更
【訂正の内容】
【００２８】
さらなる実施形態によれば、１−ビットフラグは、少なくとも参照ピクチャのレイヤ識別情報が現在ピクチャと同じまたは下位である場合、参照ピクチャが参照ピクチャリストに含まれるべきであることを明示的に指示するようにセットされる（２０１ｂ）。
【誤訳訂正１７】
【訂正対象書類名】明細書
【訂正対象項目名】００２９
【訂正方法】変更
【訂正の内容】
【００２９】
これは、少なくとも参照ピクチャのレイヤ識別情報が現在ピクチャと同じまたは下位である場合、１つの参照ピクチャが参照ピクチャリストに含まれるべきであることを明示的に指示するために１−ビットフラグに「１」をセットし（２０１ｂ）、少なくとも参照ピクチャのレイヤ識別情報が現在ピクチャより上位である場合、１つの参照ピクチャが参照ピクチャリストに含まれるべきでないことを明示的に指示するために１−ビットフラグに「０」をセットすることにより（２０１ａ）行うことができる。
【誤訳訂正１８】
【訂正対象書類名】明細書
【訂正対象項目名】００３０
【訂正方法】変更
【訂正の内容】
【００３０】
さらなる実施形態によれば、１−ビットフラグは、参照ピクチャのレイヤ識別情報が現在ピクチャと同じまたは下位であり、かつ、別の条件が満たされた場合、参照ピクチャが参照ピクチャリストに含まれるべきであることを明示的に指示するようにセットされる（２０１ｃ）。これは、レイヤ識別情報が現在ピクチャのレイヤ識別情報より上位である場合、参照ピクチャが含まれることが決して許可されるべきでないが、参照ピクチャのレイヤ識別情報が現在ピクチャのレイヤ識別情報と同じまたは下位である場合、エンコーダは、別の条件に従って、参照ピクチャが含まれるべきであるか否かを選び、それに応じてフラグをセットすることができることを意味する。この別の条件の実施例は、特定値より大きい（ベース）量子化パラメータを持つピクチャを除外することである。
【誤訳訂正１９】
【訂正対象書類名】明細書
【訂正対象項目名】００３３
【訂正方法】変更
【訂正の内容】
【００３３】
１−ビットフラグは、現在ピクチャを復号化するときにどのピクチャが参照のため使用することができるかを指示する参照ピクチャのリストに参照ピクチャが含まれるべきか否かをデコーダに明示的に指示する。１−ビットフラグは、参照ピクチャが参照ピクチャのリストに含まれるべきであるか否かを判定するために使用される（２０４）。
【誤訳訂正２０】
【訂正対象書類名】明細書
【訂正対象項目名】００３４
【訂正方法】変更
【訂正の内容】
【００３４】
実施形態によれば、１−ビットフラグの一方の値は、参照ピクチャのレイヤ識別情報が現在ピクチャより上位であるとき、参照ピクチャが参照ピクチャリストに含まれるべきでないことを明示的に指示する。別の実施形態では、１−ビットフラグの一方の値は、参照ピクチャのレイヤ識別情報が現在ピクチャと同じまたは下位である場合、１つの参照ピクチャが参照ピクチャリストに含まれるべきであることを明示的に指示する。
【誤訳訂正２１】
【訂正対象書類名】明細書
【訂正対象項目名】００３５
【訂正方法】変更
【訂正の内容】
【００３５】
これらの実施形態は、「１」にセットされた１−ビットフラグが１つの参照ピクチャが参照ピクチャリストに含まれるべきことを明示的に指示し、「０」にセットされた１−ビットフラグが１つの参照ピクチャが参照ピクチャリストに含まれるべきでないことを明示的に指示することによって実証することができる。
【誤訳訂正２２】
【訂正対象書類名】明細書
【訂正対象項目名】００３６
【訂正方法】変更
【訂正の内容】
【００３６】
実施形態の別の態様に係るエンコーダ３００は、図３に示されるように、バッファ記述中の各参照ピクチャに対する１−ビットフラグ２２０にエンコーダ３００によって判定されたとおりの値がセットされるバッファ記述を作成し、シグナル通知するように構成されている。すなわち、エンコーダは、現在ピクチャに対するバッファ記述中の参照ピクチャに関連付けられている１−ビットフラグ２２０を符号化するように構成され、ここで、１−ビットフラグは、参照リストがどのピクチャが現在ピクチャを復号化するため使用することができるかを指示する参照ピクチャのリストに含まれるべきか否かをデコーダに明示的に指示するためにセットされる。エンコーダ３００は、バッファ記述を作成し、参照ピクチャが参照ピクチャのリストに含まれるべきか否かを明示的に指示するような１−ビットフラグ２２０をセットするように構成されているプロセッサ３０２を備える。エンコーダ３００は、参照ピクチャに関連がある情報のようなピクチャ関連情報およびレイヤ情報を記憶するメモリ３０１をさらに備えることがある。さらに、エンコーダ３００は、スライスヘッダにおいて、または、シーケンス・パラメータ・セットのようなパラメータ・セットにおいて１−ビットフラグ２２０を符号化するように構成されることがある。
【誤訳訂正２３】
【訂正対象書類名】明細書
【訂正対象項目名】００３７
【訂正方法】変更
【訂正の内容】
【００３７】
一実施形態によれば、１−ビットフラグ２２０は、現在ピクチャと比べて上位レイヤからの参照ピクチャがリストに含まれないようにセットされる。従って、エンコーダは、現在ピクチャのレイヤと比べて上位テンポラルレイヤからの参照ピクチャが参照ピクチャリストに含まれないように１−ビットフラグの値をいつでもセットするように制限される。このことは、プロセッサ３０２が参照ピクチャのレイヤ識別情報が現在ピクチャのレイヤ識別情報より上位であるか否かを判定し、本実施形態によれば、参照ピクチャのレイヤ識別情報が現在ピクチャのレイヤ識別情報より上位である場合、参照ピクチャが参照ピクチャリストに含まれるべきでないことを明示的に指示するように１−ビットフラグをセットするようにさらに構成されていることを意味する。
【誤訳訂正２４】
【訂正対象書類名】明細書
【訂正対象項目名】００３８
【訂正方法】変更
【訂正の内容】
【００３８】
プロセッサ３０２は、少なくとも参照ピクチャのレイヤ識別情報が現在ピクチャと同じまたは下位である場合、参照ピクチャが参照ピクチャリストに含まれるべきであることを明示的に指示するように１−ビットフラグをセットするようにさらに構成されている。
【誤訳訂正２５】
【訂正対象書類名】明細書
【訂正対象項目名】００３９
【訂正方法】変更
【訂正の内容】
【００３９】
さらなる実施形態によれば、プロセッサ３０２は、１つの参照ピクチャが参照ピクチャリストに含まれるべきであることを明示的に指示するために１−ビットフラグに「１」をセットし、１つの参照ピクチャが参照ピクチャリストに含まれるべきでないことを明示的に指示するために１−ビットフラグに「０」をセットするように構成されている。
【誤訳訂正２６】
【訂正対象書類名】明細書
【訂正対象項目名】００４０
【訂正方法】変更
【訂正の内容】
【００４０】
上述のとおり、参照ピクチャは、レイヤ識別情報が現在ピクチャのレイヤ識別情報より上位である場合、含まれることが決して許可されるべきでない。参照ピクチャのレイヤ識別情報が現在ピクチャのレイヤ識別情報と同じまたは下位である場合、エンコーダは、それに応じてフラグをセットすることにより参照ピクチャが含まれるべきであるか否かを選ぶことができる。この場合、プロセッサ３０２は、参照ピクチャのレイヤ識別情報が現在ピクチャと同じまたは下位であり、かつ、別の条件が満たされる場合、参照ピクチャが参照ピクチャリストに含まれるべきであることを明示的に指示するように１−ビットフラグをセットするようにさらに構成されている。
【誤訳訂正２７】
【訂正対象書類名】明細書
【訂正対象項目名】００４２
【訂正方法】変更
【訂正の内容】
【００４２】
さらなる態様によれば、参照ピクチャを使用して複数のピクチャの映像ストリーム中の現在ピクチャの表現を復号化するデコーダが図４に示されるように提供される。デコーダ４００は、現在ピクチャに対するバッファ記述中の１つずつの関連付けられている参照ピクチャのための１−ビットフラグ２２０を受信するように構成され、デコーダ４００は、参照ピクチャが参照ピクチャのリスト２３０に含まれるべきか否かをデコーダに明示的に指示する１−ビットフラグ２２０を復号化するように構成されているプロセッサ４０２を備える。さらに、プロセッサ４０２は、参照ピクチャが参照ピクチャのリストに含まれるべきか否かを判定するために１−ビットフラグを使用するように構成されている。
【誤訳訂正２８】
【訂正対象書類名】明細書
【訂正対象項目名】００４３
【訂正方法】変更
【訂正の内容】
【００４３】
図４に示されるように、参照ピクチャセットとも呼ばれるバッファ記述２１０は、参照ピクチャｒｅｆ  ｐｉｃ  １、ｒｅｆ  ｐｉｃ  ２などを格納し、各参照ピクチャに対して、参照ピクチャが参照ピクチャリスト２３０に含まれるべきか否かを指示するそれぞれの１−ビットフラグｆｌａｇ  １、ｆｌａｇ  ２などが存在する。
【誤訳訂正２９】
【訂正対象書類名】明細書
【訂正対象項目名】００４４
【訂正方法】変更
【訂正の内容】
【００４４】
さらに、一実施形態によれば、デコーダは、１−ビットフラグの一方の値が１つの参照ピクチャは参照ピクチャリストに含まれるべきでないことを明示的に指示するものと解釈するように構成されているプロセッサ４０２を備える。プロセッサ４０２は、１−ビットフラグの一方の値が１つの参照ピクチャは参照ピクチャリストに含まれるべきであることを明示的に指示するものと解釈するようにさらに構成されてもよい。
【誤訳訂正３０】
【訂正対象書類名】明細書
【訂正対象項目名】００４５
【訂正方法】変更
【訂正の内容】
【００４５】
各ピクチャがレイヤ識別情報によって識別されたレイヤに属している別の実施形態によれば、プロセッサ４０２は、「１」がセットされた１−ビットフラグが１つの参照ピクチャは参照ピクチャリストに含まれるべきであることを明示的に指示し、「０」がセットされた１−ビットフラグが１つの参照ピクチャは参照ピクチャリストに含まれるべきでないことを明示的に指示するものと解釈するように構成されている。
【誤訳訂正３１】
【訂正対象書類名】明細書
【訂正対象項目名】００４７
【訂正方法】変更
【訂正の内容】
【００４７】
上述の実施形態において記載されているように、現在ピクチャのレイヤ識別情報より上位であるレイヤ識別情報を有している参照ピクチャは、参照ピクチャのリストに決して含まれるべきでない。このことは、欠けているピクチャに対して、１−ビットフラグは、ピクチャが意図せずに失われたか否かを判定するためにデコーダによってさらに使用することができることを意味する。
【誤訳訂正３２】
【訂正対象書類名】明細書
【訂正対象項目名】００４８
【訂正方法】変更
【訂正の内容】
【００４８】
フラグが意図せずに失われたピクチャが存在しないことを検証するためにバッファ記述中の各ピクチャに対して使用されるときのデコーダにおける手続きが以下に記載される。従って、参照ピクチャが参照ピクチャリストに含まれるべきか否かについて結論を出すために１−ビットフラグの値をチェックするステップを含めて、参照ピクチャリストが作成される。欠けているピクチャに対して、１−ビットフラグは、ピクチャが意図せずに失われたか否かを判定するためにさらに使用することができる。１−ビットフラグの一方の値は、参照ピクチャが現在ピクチャと同じであるか、または、より下位のレイヤ識別情報を有していることを指示し、このことは、欠けている参照ピクチャが意図せずに失われたことを指示する。１−ビットフラグの別の値は、ピクチャが正しく削除されている可能性があること、すなわち、欠けている参照ピクチャが現在ピクチャより上位のレイヤ識別情報を有しているときを示す。参照ピクチャリスト構築を含む残りの復号化プロセスは、影響を受けない。
【誤訳訂正３３】
【訂正対象書類名】明細書
【訂正対象項目名】００４９
【訂正方法】変更
【訂正の内容】
【００４９】
図４にさらに関連して、本発明の実施形態の第５の態様によれば、参照ピクチャを使用して複数のピクチャの映像ストリーム中の現在ピクチャの表現を復号化するデコーダ４００が提供される。デコーダ４００は、現在ピクチャに対するバッファ記述中の参照ピクチャに関連付けられている１−ビットフラグ２２０を復号化するように構成されている。デコーダ４００は、復号化ピクチャバッファ内の対応する参照ピクチャが欠けているバッファ記述中の各参照ピクチャに対する１−ビットフラグの値をチェックするように構成されているプロセッサを備え、１−ビットフラグの値が参照ピクチャは参照ピクチャリストに含まれるべきであることを指示している場合、プロセッサは、参照ピクチャが意図せずに失われたという結論を出すように構成されている。
【誤訳訂正３４】
【訂正対象書類名】明細書
【訂正対象項目名】００５１
【訂正方法】変更
【訂正の内容】
【００５１】
●スライスヘッダが復号化される。
●バッファ記述中の各参照ピクチャに対するフラグを含むバッファ記述は、スライスヘッダにおける構文要素から、および、おそらくピクチャ・パラメータ・セットまたはシーケンス・パラメータ・セットのようなアクティブ状態のパラメータ・セットから復号化される。
●ピクチャマーキングは、バッファ記述を使用して実行される。
●バッファ記述中の各ピクチャに対して、フラグは、本実施形態では、意図せずに失われたピクチャが存在しないことを検証するために使用される。
●参照ピクチャが参照ピクチャリストに含まれるべきであるか否かについて結論を出すために参照ピクチャのｔｅｍｐｏｒａｌ＿ｉｄを現在ピクチャのｔｅｍｐｏｒａｌ＿ｉｄと比較するステップを含めて、参照ピクチャリストが作成される。その結果、フラグは、どの参照ピクチャが参照ピクチャリストに含まれるべきであるかをフラグの値に基づいて判定することにより参照ピクチャリストを作成するために使用される。
●ピクチャが復号化される。
【誤訳訂正３５】
【訂正対象書類名】明細書
【訂正対象項目名】００５２
【訂正方法】変更
【訂正の内容】
【００５２】
さらなる代替案によれば、参照ピクチャリスト構築プロセスは、ピクチャが参照ピクチャリスト（群）に含まれているか否かを判定するために、ｔｅｍｐｏｒａｌ＿ｉｄによって実証された参照ピクチャのレイヤ識別情報が現在ピクチャのｔｅｍｐｏｒａｌ＿ｉｄともはやこれ以上比較されないように変更される。現在ピクチャのｔｅｍｐｏｒａｌ＿ｉｄより上位のｔｅｍｐｏｒａｌ＿ｉｄを有する参照ピクチャが参照ピクチャリストに含まれることが決して許可されないことに注意すべきである。その代わりに、上記１−ビットフラグは、ピクチャが意図せずに失われたか、または、ピクチャが正しく除去されたかを指示し、参照ピクチャが現在ピクチャと同じテンポラルレイヤまたはより下位に属していることを表現する値がフラグの値にセットされた場合に限り、参照ピクチャが含まれるように使用される。